(57)【要約】【課題】デジタル放送信号の送出内容及びその送出時刻をチェックすることを可能にする。【解決手段】ＴＳアナライザー１５において、内蔵タイマ１５１により時刻を計時し、入力されたＴＳを記憶装置１６に記録する際に、記録制御機能１５３によりＴＳパケットに内蔵タイマ１５１で計時される時刻情報を付加して記憶装置１６に記録するようにしている。【選択図】　　図１
2004032631.tif 000002
【特許請求の範囲】
【請求項１】
一定のデータ長の複数の伝送ブロックを配列して成るデジタル放送信号を送出するデジタル放送信号送出システムに適用され、送出すべきデジタル放送信号を記憶装置に記録し、この記憶装置に記録されたデジタル放送信号を解析するデジタル放送信号処理装置において、
時刻情報を取得する時刻情報取得手段と、
前記デジタル放送信号を前記記憶装置に記録する際に、該デジタル放送信号に前記時刻情報取得手段で取得された時刻情報を付加して記録する記録制御手段とを具備したことを特徴とするデジタル放送信号処理装置。
【請求項２】
前記デジタル放送信号はＭＰＥＧ（Ｍｏｖｉｎｇ　Ｐｉｃｔｕｒｅ　Ｅｘｐｅｒｔｓ　Ｇｒｏｕｐ）で規定されたパケット構造のＴＳ（Ｔｒａｎｓｐｏｒｔ　Ｓｔｒｅａｍ）であり、
前記記録制御手段は、前記ＴＳを前記記憶装置に記録する際に、該ＴＳに前記時刻情報取得手段で取得された時刻情報を付加して記録することを特徴とする請求項１記載のデジタル放送信号処理装置。
【請求項３】
前記時刻情報取得手段は、装置内に計時手段を備え、この計時手段により計時される時刻情報を取得することを特徴とする請求項１記載のデジタル放送信号処理装置。
【請求項４】
前記時刻情報取得手段は、外部から与えられる時刻情報を取得することを特徴とする請求項１記載のデジタル放送信号処理装置。
【請求項５】
前記時刻情報取得手段は、装置内に計時手段を備え、この計時手段により計時される第１の時刻情報を取得するとともに、外部から与えられる第２の時刻情報を取得し、この第２の時刻情報に従って、前記第１の時刻情報を校正することを特徴とする請求項１記載のデジタル放送信号処理装置。
【請求項６】
前記記録制御手段は、前記ＴＳを前記記憶装置に記録する際に、各ＴＳパケットごとまたは記録すべき全ＴＳパケットの一部に前記時刻情報取得手段により取得される時刻情報を付加することを特徴とする請求項２記載のデジタル放送信号処理装置。
【請求項７】
互いに一定のデータ長の複数の伝送ブロックを配列して成るデジタル放送信号を送出するデジタル放送信号送出システムに適用され、送出すべきデジタル放送信号を記憶装置に記録し、この記憶装置に記録されたデジタル放送信号を解析するデジタル放送信号処理装置で使用されるデジタル放送信号記録制御方法であって、
前記デジタル放送信号を前記記憶装置に記録する際に、別途取得した時刻情報を前記デジタル放送信号に付加する第１の過程と、
この第１の過程により時刻情報を付加されたデジタル放送信号を前記記憶装置に記録する第２の過程とを具備したことを特徴とするデジタル放送信号記録制御方法。
【発明の詳細な説明】
【０００１】
【発明の属する技術分野】
この発明は、デジタル放送信号を送出するデジタル放送信号送出システムに係わり、特にデジタル放送信号の送出内容を確認するために使用するデジタル放送信号処理装置及びデジタル放送信号記録制御方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
これらのデジタル放送においては、ＭＰＥＧ（Ｍｏｖｉｎｇ　Ｐｉｃｔｕｒｅ　Ｅｘｐｅｒｔｓ　Ｇｒｏｕｐ）規格に従って生成されたＴＳ（Ｔｒａｎｓｐｏｒｔ　Ｓｔｒｅａｍ）の切り替え、同期化、多重化などの信号処理を施すスタジオ機器が必要不可欠である。さらに、ＴＳがＭＰＥＧ規格に従ったストリームであるか否かをチェックするためのスタジオ機器も必要不可欠である。
【０００４】
【発明が解決しようとする課題】
ところが、上記ＴＳのチェック装置は、送出するＴＳがＭＰＥＧ規格に従ったストリームであるか否かをチェックすることは可能であるが、その送出時刻まではチェックすることができない。このため、万一違反したＴＳがあった場合に、その違反したＴＳの発生時刻までをチェックすることができない。
この発明の目的は、デジタル放送信号の送出内容及びその送出時刻をチェックすることが可能なデジタル放送信号処理装置及びデジタル放送信号記録制御方法を提供することにある。
【０００５】
【課題を解決するための手段】
この発明は、上記目的を達成するために、以下のように構成される。
（１）一定のデータ長の複数の伝送ブロックを配列して成るデジタル放送信号を送出するデジタル放送信号送出システムに適用され、送出すべきデジタル放送信号を記憶装置に記録し、この記憶装置に記録されたデジタル放送信号を解析するデジタル放送信号処理装置において、時刻情報を取得する時刻情報取得手段と、デジタル放送信号を記憶装置に記録する際に、該デジタル放送信号に時刻情報取得手段で取得された時刻情報を付加して記録する記録制御手段とを備えるようにしたものである。なお、デジタル放送信号がＭＰＥＧで規定されるパケット構造のＴＳである場合に、ＴＳを記憶装置に記録する際に、各ＴＳパケットごとまたは記録すべき全ＴＳパケットの一部に時刻情報取得手段により取得される時刻情報を付加するようにしている。
【０００６】
（１）の発明によれば、ＴＳを記憶装置に記録する際に、ＴＳパケットに時刻情報を付加して記録することにより、記憶装置に記録されたＴＳパケットの内容を解析する際のＴＳパケットの記録時刻、つまりＴＳパケットの送出時刻を特定することができる。このため、運用者は、記憶装置に記録されたＴＳパケットの送出内容及び送出時刻を確認することができ、これにより誤ったＴＳパケットの送出時刻も明確に管理することができる。また、ＴＳパケットを時刻に対応付けて記憶装置に記録する際に、ＴＳパケットごとに時刻情報を付加するものでは、ＴＳパケットの時間的な対応付けを常に正確に行なうことができる。これに対し記録すべき全ＴＳパケットの一部に時刻情報を付加するものでは、記憶装置の記憶容量を少なくできる利点がある。
【０００７】
（２）上記（１）における時刻情報取得手段は、装置内に計時手段を備え、この計時手段により計時された時刻情報を取得することを特徴とする。このように構成することで、外部に計時手段を設ける場合に比べて、配線構造等を簡素化できる。
【０００８】
（３）上記（１）における時刻情報取得手段は、外部から与えられる時刻情報を取得することを特徴とする。このように構成することで、装置の処理負荷を軽減でき、これにより安価なＣＰＵでも時刻情報を付加したＴＳパケットを効率良く記録できる。
【０００９】
（４）上記（１）における時刻情報取得手段は、装置内に計時手段を備え、この計時手段により計時される第１の時刻情報を取得するとともに、外部から与えられる第２の時刻情報を取得し、この第２の時刻情報に従って、第１の時刻情報を校正することを特徴とする。
このような構成によれば、装置内の計時手段により計時される時刻が局内時計といった外部の計時手段により計時される時刻に従って校正されるので、処理回路等で生じる時刻のばらつきを低減して、信頼性の高い記録制御を実現できる。
【００１０】
【発明の実施の形態】
以下、この発明の実施形態について図面を参照して詳細に説明する。
図１は、この発明に係るデジタル放送信号処理装置が適用される局内システムの構成を示すブロック図である。
【００１１】
このシステムにおいて、複数系統の番組情報信号は、それぞれエンコーダ（ＥＮＣ）１１１〜１１ｎにてＭＰＥＧ２符号化方式に基づく可変長圧縮符号化が施されることで、ＭＰＥＧ２トランスポートストリームパケット（ＴＳパケット）に変換され、これらＴＳパケットがマルチプレクサ１２にて送出用のＴＳに多重化されて送出される。また、マルチプレクサ１２から出力される送出用のＴＳは、ＴＳ送出管理装置１３に供給される。これらエンコーダ１１１〜１１ｎ、マルチプレクサ１２及びＴＳ送出管理装置１３は、局内時計１４により計時される時刻に基づいて動作する。
【００１２】
一方、ＴＳ送出管理装置１３の出力は、ＴＳアナライザー１５に供給される。ＴＳアナライザー１５は、自動番組送出制御装置（図示せず）からの記録開始・停止の指示信号もしくは運用者の指定操作による指示信号に従って、入力されたＴＳをパケットごとに記憶装置１６に転送して記録する。また、運用者による指定操作に従って、記憶装置１６からＴＳパケットを読み出し、そのＴＳパケットの解析処理を行なって、その解析結果を表示器１７に表示する。このため、運用者は、表示器１７に表示されるＴＳパケットの解析結果を見て、ＴＳパケットがデジタル放送規格に違反しているか否かを確認できる。なお、この解析結果としては、ＴＳパケットのバイト数等が示される。
【００１３】
また、ＴＳアナライザー１５は、内蔵タイマ１５１と、時刻発生機能１５２と、記録制御機能１５３とを備え、さらに局内時計１４により計時される時刻情報を取り込むためのインタフェースを有している。内蔵タイマ１５１は、時刻を計時する。時刻校正機能１５２は、局内時計１４により計時される時刻情報を取込み、この取込んだ時刻情報と内蔵タイマ１５１により計時される時刻情報とを比較して時刻誤差を求め、この時刻誤差が所定値以上であるか否かを判定し、所定値以上である場合に局内時計１４の時刻に合わせるように内蔵タイマ１５１の時刻の校正を行なう。
記録制御機能１５３は、与えられる記録開始・停止の指示信号に従って、上記内蔵タイマ１５１により計時される時刻の情報を入力されるＴＳパケットごとに付加し、この時刻情報を付加したＴＳパケットを記憶装置１６に記録する。
【００１４】
次に、上記構成における動作について説明する。
まず、ＴＳアナライザー１５には、各エンコーダ１１１〜１１ｎの出力をマルチプレクサ１２により多重化されたＴＳが供給される。ＴＳ送出管理装置１３によるＴＳの送出時刻をＴＳアナライザー１５で解析するために、ＴＳパケット間に送出時刻を示すパケットを生成して挿入することが考えられる。
【００１５】
しかしながら、送出時刻を示すパケットを生成してＴＳパケット間に挿入するために、専用の装置が必要となってしまい、これによりシステム構成が複雑となり、さらにパケット生成に要する時間も多くかかってしまうことになる。そこで、本実施形態では、ＴＳ送出管理装置１３の出力をそのままＴＳアナライザー１５に入力し、ＴＳアナライザー１５にてＴＳパケットごとに時刻情報を付加して記憶装置１６に記憶するようにしている。この場合の記録処理の様子を図２（ａ），（ｂ）に示す。
【００１６】
図２（ａ）はＴＳアナライザー１５の入力、図２（ｂ）は記憶装置１６の入力を示し、各図において、ＴＳＰはＴＳパケットであることを示している。すなわち、ＴＳアナライザー１５では、入力されたＴＳパケットに順次時刻情報が付加される。そして、時刻情報が付加されたＴＳパケットは記憶装置１６に記録される。
【００１７】
また、ＴＳアナライザー１５は、図３に示すような制御処理を開始する。
この制御処理を開始するとＴＳアナライザー１５はまず、記録開始の指示信号入力の有無の確認を行ない（ステップＳＴ３ａ）、入力がある場合に（Ｙｅｓ）ＴＳパケットを取り込み（ステップＳＴ３ｂ）、この取得したＴＳパケットに内蔵タイマ１５１で計時される時刻情報を付加し（ステップＳＴ３ｃ）、この時刻情報を付加したＴＳパケットを記憶装置１６に記録する（ステップＳＴ３ｄ）。
【００１８】
続いて、ＴＳアナライザー１５は、記録停止の指示信号が入力されたか否かの判断を行ない（ステップＳＴ３ｅ）、記録停止の指示信号が入力されるまでステップＳＴ３ｂ乃至ステップＳＴ３ｅの処理を繰り返し実行する。
そして、ＴＳアナライザー１５は、記録停止の指示信号が入力されたならば記録処理を終了する。
【００１９】
一方、ＴＳアナライザー１５は、図４に示すような制御処理も実行する。
この制御処理において、ＴＳアナライザー１５は局内時計１４から時刻情報を取り込み（ステップＳＴ４ａ）、この取得した時刻情報と内蔵タイマ１５１により計時される時刻情報とを比較して時刻誤差を求め（ステップＳＴ４ｂ）、この時刻誤差が所定値以上であるか否かの判断を行なう（ステップＳＴ４ｃ）。
【００２０】
そして、時刻誤差が所定値以上であるならば（Ｙｅｓ）、ＴＳアナライザー１５は内蔵タイマ１５１による時刻を局内時計１４の時刻に合わせるように校正し（ステップＳＴ４ｄ）、以後上記ステップＳＴ４ａの処理に移行する。これに対し、時刻誤差が所定値未満である場合（Ｎｏ）、ＴＳアナライザー１５はそのまま上記ステップＳＴ４ａの処理に移行する。
【００２１】
このため、ＴＳアナライザー１５の内蔵タイマ１５１に時刻誤差が生じても、内蔵タイマ１５１による時刻を局内時計１４の基準時刻に合わせることができ、これによりＴＳアナライザー１５の内蔵タイマ１５１で計時される時刻を正確に保つことができる。
なお、内蔵タイマ１５１により計時される時刻の校正タイミングについては、起動時に局内時計１４の時刻に従って校正を行なうようにしてもよいし、定期的に行なうようにしてもよい。
【００２２】
以上のように上記実施形態では、ＴＳアナライザー１５において、内蔵タイマ１５１で時刻を計時し、入力されたＴＳを記憶装置１６に記録する際に、記録制御機能１５２によりＴＳパケットに内蔵タイマ１５１で計時される時刻情報を付加して記憶装置１６に記録するようにしている。
【００２３】
従って、記憶装置１６に記録されたＴＳパケットの内容を解析する際のＴＳパケットの記録時刻、つまりＴＳパケットの送出時刻を特定することができ、これにより、運用者は、記憶装置１６に記録されたＴＳパケットの送出内容及び送出時刻を表示器１７で確認することができ、これにより誤ったＴＳパケットの送出時刻も明確に管理することができる。このため、運用者は、誤って送出されたＴＳパケットに対する対応処置を迅速に講じることができる。
【００２４】
また、上記実施形態によれば、ＴＳアナライザー１５の内蔵タイマ１５１で計時される時刻と局内時計１４で計時される時刻とを比較して時刻誤差が求められ、この時刻誤差が所定値以上であるか否かが判定され、所定値以上である場合に、内蔵タイマ１５１で計時される時刻が局内時計１４で計時される時刻に合わせるように校正されるので、ＴＳアナライザー１５で生じる時刻誤差を低減して、信頼性の高い記録制御を実現できる。
【００２５】
なお、この発明は上記実施形態に限定されるものではない。例えば、上記実施形態では、ＴＳパケットごとに時刻情報を付加して記憶装置１６に記録する例について説明した。しかしこれに限ることなく、記録すべき全ＴＳパケットの少なくとも一部に時刻情報を付加するようにしてもよい。このようにすれば、記憶装置１４の記憶容量を少なくすることができる。
【００２６】
また、上記実施形態では、局内時計１４とＴＳアナライザー１５の内蔵タイマ１５１とのマスター・スレーブ動作について説明したが、これに限ることなく、ＴＳアナライザー１５の内蔵タイマ１５１のみでもよい。このようにすれば、局内時計１４と接続する配線を削減できる分、システム全体の配線構造を簡素化することができる。
【００２７】
一方、ＴＳアナライザー１５の内蔵タイマ１５１を削除して、局内時計１４による時刻情報をＴＳパケットに付加するようにしてもよい。このようにすれば、ＴＳアナライザー１５の処理負荷を軽減でき、これにより安価なＣＰＵでも時刻情報を付加したＴＳパケットを効率良く記録できる。
この他、ＴＳといったデジタル放送信号の種類、局内システムの構成、ＴＳアナライザーの種類や構成、ＴＳパケットの記録処理手順、時刻校正手順等についても、この発明の要旨を逸脱しない範囲で種々変形して実施できる。
【００２８】
【発明の効果】
以上詳述したようにこの発明によれば、デジタル放送信号の送出内容及びその送出時刻をチェックすることが可能なデジタル放送信号処理装置及びデジタル放送信号記録制御方法を提供することができる。
【図面の簡単な説明】
【図１】この発明に係るデジタル放送信号処理装置が適用される局内システムの構成を示すブロック図。
【図２】図１に示したＴＳアナライザーで取り扱うＴＳを説明するために示すタイミング図。
【図３】図１に示したＴＳアナライザーの記録制御処理手順を説明するために示すフローチャート。
【図４】図１に示したＴＳアナライザーの時刻校正処理手順を説明するために示すフローチャート。
【符号の説明】
１１１〜１１ｎ…エンコーダ（ＥＮＣ）、
１２…マルチプレクサ（ＭＵＸ）、
１３…ＴＳ送出管理装置、
１４…局内時計、
１５…ＴＳアナライザー、
１６…記憶装置、
１７…表示器、
１５１…内蔵タイマ、
１５２…時刻校正機能、
１５３…記録制御機能。
【図１】
2004032631.tif 000003
【図２】
2004032631.tif 000004
【図３】
2004032631.tif 000005
【図４】
2004032631.tif 000006